(57)【要約】【課題】磁性粉末を所定の形状に成型した圧粉磁心からなる固定子鉄芯を有するコンデンサ電動機の電動機効率の改善が必要である。【解決手段】４個の歯部と外周部分の継鉄部とで４個のスロットを形成する固定子鉄芯を、電磁鋼板を打抜き・積層して形成するともに巻線を装着又は直巻巻装する歯部を形成する４個の分割鉄芯体Ａと、磁性粉末を所定の形状に成型してなる圧粉磁心で形成するとともに相隣接する分割鉄芯体Ａ相互を連結し外周部の磁路をなす継鉄部を形成する分割鉄芯体Ｂとに分割してなり、前記分割鉄芯体Ｂは、椀状の電動機ハウジングをなす部分と一体の椀状部材Ｈの一部として形成した構成とする。【選択図】図１
2007202327.tif 000002
【特許請求の範囲】
【請求項１】
巻線を装着又は直巻巻装する歯部を形成する４個の分割鉄芯体Ａと、
相隣接する分割鉄芯体Ａ相互を連結し外周部の磁路をなす継鉄部を形成する分割鉄芯体Ｂとに分割してなり、４個の歯部と外周部分の継鉄部とで４個のスロットを形成する固定子鉄芯をもつコンデンサ電動機において、
前記分割鉄芯体Ａは、電磁鋼板を打抜き・積層して形成し、
前記分割鉄芯体Ｂは、磁性粉末を所定の形状に成型してなる圧粉磁心で形成するとともに、さらに、椀状の電動機ハウジングをなす部分と一体の椀状部材Ｈの一部として形成した構成のコンデンサ電動機。
【請求項２】
分割鉄芯体Ｂは、その厚みを分割鉄芯体Ａの回転子軸方向の厚み寸法よりも長く形成した請求項１記載のコンデンサ電動機。
【請求項３】
椀状部材Ｈは、前記分割鉄芯体Ａの外周側で電動機ハウジングのリング状側面を形成する分割鉄芯体Ｂと、分割鉄芯体Ｂから連続し固定子巻線の外周部近傍に位置する電動機ハウジングのリング状側面を形成するリング状部Ｃと、蓋部Ｄとからなり、椀状部材Ｈの蓋部中央に回転子の軸受を回転自在に保持するための軸受保持部を一体に設けた構成の請求項１または２記載のコンデンサ電動機。
【請求項４】
椀状部材Ｈの分割鉄芯体Ｂを除いた椀状の電動機ハウジングをなす部分の平均肉厚は、分割鉄芯体Ｂの径方向の平均肉厚に比較して薄く形成した請求項１から３いずれか１項に記載のコンデンサ電動機。
【請求項５】
分割鉄芯体Ｂを回転子軸と垂直方向に２分割し、各々電動機ハウジングをなす部分と一体の椀状部材Ｈの一部として形成した請求項１から４いずれか１項に記載のコンデンサ電動機。
【請求項６】
２つに分割した分割鉄芯体Ｂの内周面を４分する位置に取付部を設け、
分割鉄芯体Ａの外周側先端部分を前記分割鉄芯体Ｂの取付部によって上下から挟み込む形で合体し固定子の組立・一体化をした構成の請求項５に記載のコンデンサ電動機。
【請求項７】
２つに分割した分割鉄芯体Ｂのそれぞれの外周面に、分割鉄芯体Ｂ同士を合体し固定する固着部材装着用の突起を複数箇所に設けた構成の請求項５または６いずれか１項に記載のコンデンサ電動機
【請求項８】
椀状部材Ｈを構成する分割鉄芯体Ｂに連続する部分で、椀状の電動機ハウジングをなす部分のうち、外周部のリング状に立ち上げたリング状部Ｃの平均肉厚を前記分割鉄芯体Ｂの径方向の平均肉厚と同等に形成した請求項１から７いずれか１項に記載のコンデンサ電動機。
【発明の詳細な説明】
【技術分野】
【０００１】
本発明は、スロット数と同数以上に分離・分割して構成するとともに、電磁鋼板を打抜き・積層した積層鉄芯体と、磁性粉末からなり所定の形状に形成した圧粉磁心とを組合わせ、合体してなる固定子鉄芯および固定子を有する構成のコンデンサ電動機とその製造方法に関する。
【背景技術】
【０００２】
従来、この種の電動機は、アーマチュアコア（固定子鉄芯、以下同）を複数に分割し、各部を磁性粉末で構成するとともに、ステータティース（歯部、以下同）にコイル（巻線、以下同）を施工したのち、この歯部を環状に形成したアーマチュアヨーク（継鉄部、以下同）と一体化する構成のものが知られている（例えば、特許文献１参照）。
【０００３】
以下、その電動機の構成について図１４を参照しながら説明する。
【０００４】
図に示すように、絶縁物からなる軟質磁性材料（磁性粉末、以下同）または導電性の低い磁性粉末により構成され、巻線２０１巻回部に直接巻線を巻回した別体の部品からなる複数個の歯部２０２と、磁性粉末により構成され、前記歯部を連結する継鉄部２０３からなり、これらを合体して構成された固定子鉄芯２０４を有する構成の固定子であった。
【０００５】
また、一般的に磁性粉末で固定子鉄芯を構成した場合、電磁鋼板に比較し透磁率が低いため磁束量の増大を図るためには、図１５に示すように、固定子鉄芯を磁性粉末により構成した場合、一般的に各部の寸法、例えば歯部の幅寸法Ｋは積層電磁鋼板で構成した場合に比較し、大きくとる（軸方向寸法が同一の場合）構成であった。
【特許文献１】特開平０９−２１５２３０号公報
【発明の開示】
【発明が解決しようとする課題】
【０００６】
このような従来の電動機の固定子鉄芯、または固定子の構成と製造方法では、巻線を巻装する歯部の一部または全体が磁束密度の低い磁性粉末の圧粉磁心で形成されているため、所定の磁束量を確保するためには断面積（歯部の軸方向長さ×幅寸法）を積層鉄芯体比で大きく構成する必要があり、その結果、歯部に巻装する巻線の周長が長くなり、巻線で消費される損失が大きくなることから、電動機の効率が低下するという課題があった。また、前記の固定子をさらに別工程で製作した電動機ハウジングに嵌合固定する必要があり、部品点数が増加し、電動機構造の簡略化が困難であった。
【０００７】
本発明はこのような従来の課題を解決するものであり、巻線を装着又は直巻巻装する歯部を形成する４個の分割鉄芯体Ａと、相隣接する分割鉄芯体Ａ相互を連結し外周部の磁路をなす継鉄部を形成する分割鉄芯体Ｂとに分割してなり、４個の歯部と外周部分の継鉄部とで４個のスロットを形成する固定子鉄芯をもつコンデンサ電動機において、前記分割鉄芯体Ａは、電磁鋼板を打抜き・積層して形成し、前記分割鉄芯体Ｂは、磁性粉末を所定の形状に成型してなる圧粉磁心で形成するとともに、さらに、椀状の電動機ハウジングをなす部分と一体の椀状部材Ｈの一部として形成した構成とすることにより電動機効率を向上し、部品点数を削減することで電動機の構造の簡略化が可能となるコンデンサ電動機を提供することを目的としている。
【課題を解決するための手段】
【０００８】
本発明のコンデンサ電動機は、巻線を装着又は直巻巻装する歯部を形成する４個の分割鉄芯体Ａと、相隣接する分割鉄芯体Ａ相互を連結し外周部の磁路をなす継鉄部を形成する分割鉄芯体Ｂとに分割してなり、４個の歯部と外周部分の継鉄部とで４個のスロットを形成する固定子鉄芯をもつコンデンサ電動機において、前記分割鉄芯体Ａは、電磁鋼板を打抜き・積層して形成し、前記分割鉄芯体Ｂは、磁性粉末を所定の形状に成型してなる圧粉磁心で形成するとともに、さらに、椀状の電動機ハウジングをなす部分と一体の椀状部材Ｈの一部として形成した構成としたものである。
【０００９】
この手段により、部品点数の削減により電動機構造の簡略化が可能となるコンデンサ電動機を提供することができる。
【００１０】
また他の手段は、分割鉄芯体Ｂは、その厚みを分割鉄芯体Ａの回転子軸方向の厚み寸法よりも長く形成した構成としたものである。
【００１１】
この手段により、巻線を巻装する歯部の磁路断面積増大と巻線周長の増大を防止し、同時に固定子鉄芯外径を拡大することなく、継鉄部の磁路断面積を拡大することで磁束密度を低減することができるコンデンサ電動機を提供することができる。
【００１２】
また他の手段は、椀状部材Ｈは、前記分割鉄芯体Ａの外周側で電動機ハウジングのリング状側面を形成する分割鉄芯体Ｂと、分割鉄芯体Ｂから連続し固定子巻線の外周部近傍に位置する電動機ハウジングのリング状側面を形成するリング状部Ｃと、蓋部Ｄとからなり、椀状部材Ｈの蓋部中央に回転子の軸受を回転自在に保持するための軸受保持部を一体に設けた構成としたものである。
【００１３】
この手段により、軸受保持部として他部品を装着する必要が無いことで部品点数の削減ができ、構造の簡略化が可能なコンデンサ電動機を提供することができる。
【００１４】
また他の手段は、椀状部材Ｈの分割鉄芯体Ｂを除いた椀状の電動機ハウジングをなす部分の平均肉厚は、分割鉄芯体Ｂの径方向の平均肉厚に比較して薄く形成した構成としたものである。
【００１５】
この手段により、磁性粉末の磁心材料の低減による合理化と軽量化が可能なコンデンサ電動機を提供することができる。
【００１６】
また他の手段は、分割鉄芯体Ｂを回転子軸と垂直方向に２分割し、各々電動機ハウジングをなす部分と一体の椀状部材Ｈの一部として形成した構成としたものである。
【００１７】
この手段により、分割鉄芯体Ａと椀状部材Ｈとを容易に一体化することが可能なコンデンサ電動機を提供することができる。
【００１８】
また他の手段は、２つに分割した分割鉄芯体Ｂの内周面を４分する位置に取付部を設け、分割鉄芯体Ａの外周側先端部分を前記分割鉄芯体Ｂの取付部によって上下から挟み込む形で合体し固定子の組立・一体化をした構成としたものである。
【００１９】
この手段により、２つに分割した分割鉄芯体Ｂの内周上を４分する位置に取付部を設け、分割鉄芯体Ａの外周側先端部分を２つに分割した分割鉄芯体Ｂの取付部によって上下から挟み込む形で合体し固定子の組立・一体化をした構成としたもので、分割鉄芯体Ａを分割鉄芯体Ｂに設けた取付部に挟持することで精度よく、容易に固定子鉄芯の組立ができるコンデンサ電動機を提供することができる。
【００２０】
また他の手段は、２つに分割した分割鉄芯体Ｂのそれぞれの外周面に、分割鉄芯体Ｂ同士を合体し固定する固着部材装着用の突起を複数箇所に設けた構成としたものである。
【００２１】
この手段により、固着部材装着用の突起に対してネジ、またはカシメピンなどを装着することにより、椀状部材Ｈ同士を強固にまた容易に一体化できるコンデンサ電動機を提供することができる。
【００２２】
また他の手段は、椀状部材Ｈを構成する分割鉄芯体Ｂに連続する部分で、椀状の電動機ハウジングをなす部分のうち、外周部のリング状に立ち上げたリング状部Ｃの平均肉厚を前記分割鉄芯体Ｂの径方向の平均肉厚と同等に形成した構成としたものである。
【００２３】
この手段により、分割鉄芯体Ｂは外周部のリング状部Ｃを含む構成となることで固定子鉄芯外周部の継鉄部における磁束密度を更に低減可能となり、電動機効率の向上が可能なコンデンサ電動機を提供することができる。
【発明の効果】
【００２４】
本発明のコンデンサ電動機によれば、巻線を巻装する歯部の磁路断面積増大と巻線周長の増大を防止し、同時に固定子鉄芯外径を拡大することなく、継鉄部の磁路断面積を拡大することで磁束密度を低減し、電動機効率を向上することができ、また、部品点数の削減により電動機構造の簡略化が可能となる。
【００２５】
また、軸受保持部として他部品を装着する必要が無いことで部品点数の削減ができ、構造の簡略化が可能となる。
【００２６】
また、磁性粉末の磁心材料の低減による合理化と軽量化が可能となる。
【００２７】
また、前記分割鉄芯体Ｂの内周上を４分する位置に取付部を設け、分割鉄芯体Ａの外周側先端部分を前記分割鉄芯体Ｂの取付部によって上下から挟み込む形で合体し固定子の組立・一体化をした構成としたもので、分割鉄芯体Ａを分割鉄芯体Ｂに設けた取付部に挟持することで精度よく、容易に固定子鉄芯の組立ができる。
【００２８】
また、固着部材装着用の突起に対してネジ、またはカシメピンなどを装着することにより、椀状部材Ｈ同士を強固にまた容易に一体化することができる。
【００２９】
また、固定子鉄芯外周部の継鉄部における磁束密度を更に低減可能となり、電動機効率の向上が可能となる。
【発明を実施するための最良の形態】
【００３０】
本発明の請求項１に記載の発明は、巻線を装着又は直巻巻装する歯部を形成する４個の分割鉄芯体Ａと、
相隣接する分割鉄芯体Ａ相互を連結し外周部の磁路をなす継鉄部を形成する分割鉄芯体Ｂとに分割してなり、４個の歯部と外周部分の継鉄部とで４個のスロットを形成する固定子鉄芯をもつコンデンサ電動機において、
前記分割鉄芯体Ａは、電磁鋼板を打抜き・積層して形成し、
前記分割鉄芯体Ｂは、磁性粉末を所定の形状に成型してなる圧粉磁心で形成するとともに、さらに、椀状の電動機ハウジングをなす部分と一体の椀状部材Ｈの一部として形成した構成としたもので、部品点数の削減により電動機構造の簡略化が可能となるコンデンサ電動機を提供することができる。
【００３１】
また、本発明の請求項２に記載の発明は、分割鉄芯体Ｂは、その厚みを分割鉄芯体Ａの回転子軸方向の厚み寸法よりも長く形成したもので、巻線を巻装する歯部の磁路断面積増大と巻線周長の増大を防止し、同時に固定子鉄芯外径を拡大することなく、継鉄部の磁路断面積を拡大することで磁束密度を低減し、電動機効率を向上することが可能となるコンデンサ電動機を提供することができる。
【００３２】
また、本発明の請求項３に記載の発明は、椀状部材Ｈの蓋部中央に回転子の軸受を回転自在に保持するための軸受保持部を一体に設けた構成としたもので、軸受保持部として他部品を装着する必要が無いことで部品点数の削減ができ、構造の簡略化が可能なコンデンサ電動機を提供することができる。
【００３３】
また、本発明の請求項４に記載の発明は、椀状部材Ｈの分割鉄芯体Ｂを除いた椀状の電動機ハウジングをなす部分の平均肉厚は、分割鉄芯体Ｂの径方向の平均肉厚に比較して薄く形成したもので、磁性粉末の磁心材料の低減による合理化と軽量化が可能なコンデンサ電動機を提供することができる。
【００３４】
また、本発明の請求項５に記載の発明は、分割鉄芯体Ｂを回転子軸と垂直方向に２分割し、各々電動機ハウジングをなす部分と一体の椀状部材Ｈの一部として形成したもので、分割鉄芯体Ａと椀状部材Ｈとを容易に一体化することが可能なコンデンサ電動機を提供することができる。
【００３５】
また、本発明の請求項６に記載の発明は、２つに分割した分割鉄芯体Ｂの内周面を４分する位置に取付部を設け、分割鉄芯体Ａの外周側先端部分を前記分割鉄芯体Ｂの取付部によって上下から挟み込む形で合体し固定子の組立・一体化をした構成としたもので、分割鉄芯体Ａを分割鉄芯体Ｂに設けた取付部に挟持することで精度よく、容易に固定子鉄芯の組立が可能となるコンデンサ電動機を提供することができる。
【００３６】
また、本発明の請求項７に記載の発明は、２つに分割した分割鉄芯体Ｂのそれぞれの外周面に、分割鉄芯体Ｂ同士を合体し固定する固着部材装着用の突起を複数箇所に設けた構成としたもので、固着部材装着用の突起に対してネジ、またはカシメピンなどの固着部材を装着することにより、椀状部材Ｈ同士を強固にまた容易に一体化できるコンデンサ電動機を提供することができる。
【００３７】
また、本発明の請求項８に記載の発明は、椀状部材Ｈを構成する分割鉄芯体Ｂに連続する部分で、椀状の電動機ハウジングをなす部分のうち、外周部のリング状に立ち上げたリング状部Ｃの平均肉厚を前記分割鉄芯体Ｂの径方向の平均肉厚と同等に形成した構成としたもので、分割鉄芯体Ｂは外周部のリング状部Ｃを含む構成となり、固定子鉄芯外周部の継鉄部における磁束密度の更なる低減が可能で電動機効率の向上が可能なコンデンサ電動機を提供することができる。
【００３８】
（実施の形態１）
図１〜図１１に示すように、本発明のコンデンサ電動機は、４個のスロット１を有する固定子鉄芯２を各々主に歯部３を形成する分割鉄芯体Ａ４が４個と、この分割鉄芯体Ａ４およびスロット１の外周部で継鉄部５として磁路を形成し、前記分割鉄芯体Ａ４の回転子軸方向の厚み寸法より長く形成した分割鉄芯体Ｂ６とに分割する。前記各々の分割鉄芯体Ａ４は電磁鋼板を打抜き・積層してなり、各々の歯部３には絶縁ボビン７に巻装されたＡ相巻線８またはＢ相巻線９が装着される。前記Ａ相巻線８が装着された分割鉄芯体Ａ４とＢ相巻線９が装着された分割鉄芯体Ａ４とは交互に、また、回転子孔１８の周囲で放射状かつ環状に配列される。分割鉄芯体Ｂ６は、磁性粉末を所定の形状に成型した圧粉磁心で形成したものであり、回転子軸に対し直角方向に２分割し、各々分割鉄芯体Ｂａ６Ａ、Ｂｂ６Ｂとする。この分割鉄芯体Ｂａ６Ａ、Ｂｂ６Ｂは、前記分割鉄芯体Ａ４の外周部に配置される。また、この分割鉄芯体Ｂａ６Ａ、Ｂｂ６Ｂの内周上を４分する位置に取付部１９が設けられ、前記分割鉄芯体Ａ４の外周側先端部分に設けられた突起１０は、この分割鉄芯体Ｂａ６Ａの取付部１９と分割鉄芯体Ｂｂ６Ｂの取付部１９に上下から挟み込まれる形で嵌合されて合体することで固定子１６が構成される。（図６に示すように、分割鉄芯体Ａ４の凹部Ａ１１、凸部Ａ１２がそれぞれ分割鉄芯体Ｂの凸部Ｂ１４、凹部Ｂ１５に嵌合される）。
【００３９】
また、前記分割鉄芯体Ｂａ６Ａ、Ｂｂ６Ｂは各々椀状の電動機ハウジングをなす部分と一体の椀状部材Ｈａ２０Ａ、Ｈｂ２０Ｂの一部として圧粉磁心で構成され、この椀状部材Ｈａ２０Ａ、Ｈｂ２０Ｂは前記分割鉄芯体Ａ４の外周側で電動機ハウジングのリング状側面を形成する分割鉄芯体Ｂａ６Ａ、Ｂｂ６Ｂと、この部分から連続し固定子巻線の外周部近傍に位置する電動機ハウジングのリング状側面を形成するリング状部Ｃａ２６Ａ、Ｃｂ２６Ｂと、蓋部Ｄａ２７Ａ、Ｄｂ２７Ｂとからなる。椀状部材Ｈａ２０Ａ、Ｈｂ２０Ｂの各々の蓋部Ｄａ２７Ａ、Ｄｂ２７Ｂの中央に軸受保持部２１Ａ、２１Ｂを一体に設け、回転子２４の軸受２５を回転自在に保持する。この椀状部材Ｈａ２０Ａ、Ｈｂ２０Ｂの前記分割鉄芯体Ｂａ６Ａ、ＢｂＢｂを除く部分の平均肉厚は前記分割鉄芯体Ｂａ６Ａ、Ｂｂ６Ｂの径方向の厚み寸法と比較して薄く形成される。また、前記分割鉄芯体Ｂａ６Ａ、Ｂｂ６Ｂの合体時合せ面の外周面の周上の同一位置においてこれらを合体固定するための固着部材２２を装着するための固着用突起２３Ａ、２３Ｂを各々の複数箇所に一体に設けている。１７はスロット絶縁フィルムであり、前記絶縁ボビン７とともに、巻線と固定子鉄芯２の間を電気的に絶縁するために配置される。
【００４０】
上記構成において、主に歯部３を形成し巻線を装着または巻装する分割鉄芯体Ａ４を、電磁鋼板を打抜き・積層して形成したため、その一部または全部を磁性粉末で構成した場合に比較し、磁路断面積が少なくてすむ。したがって前記歯部３に装着または巻装するＡ相巻線８またはＢ相巻線９の周長は短縮されることになり、巻線の抵抗値が減少することで巻線で消費される損失が低減する。また、分割鉄芯体Ｂ６の回転子軸方向長さを分割鉄芯体Ａ４の回転子軸方向長さより長く構成することで磁路断面積を増加し総磁束数を増加するかまたは磁束密度を低減でき、電動機効率が向上する。また、椀状部材Ｈａ２０Ａ、Ｈｂ２０Ｂは圧粉磁心で一体に構成され、リング状部Ｃａ２６Ａ、Ｃｂ２６Ｂと蓋部Ｄａ２７Ａ、Ｄｂ２７Ｂは分割鉄芯体Ｂａ６Ａ、Ｂｂ６Ｂとつながっているため、これらも前記分割鉄芯体Ａ４の外周部で継鉄部５として磁路となり、磁束密度の低減に寄与し、更に電動機効率が向上する。
【００４１】
また、分割鉄芯体Ａ４は、歯部３がその外周部端部まで同寸法（幅、厚み）以下であるため、分割鉄芯体Ａ４に装着した絶縁ボビン７に対する直接巻線の他、予め巻線を巻装した絶縁ボビン７を分割鉄芯体Ａ４に装着することも可能となる。また、分割鉄芯体Ｂａ６Ａ、Ｂｂ６Ｂの内周部を４分する位置に設けた取付部１９に対し分割鉄芯体Ａ４を配置するため、分割鉄芯体Ａ４の周方向の位置決めが精度よく確実にかつ容易に固定装着ができることとなる。
【００４２】
また、分割鉄芯体Ａ４の固定は、圧入嵌合に加えて分割鉄芯体Ｂａ６Ａ、Ｂｂ６Ｂによる上下方向からの挟持（挟みつけ）により、さらに強固に固定することができ、分割鉄芯体Ａ４を形成する電磁鋼板の上下方向振動を軽減することができる。
【００４３】
また、製造する際には、分割鉄芯体Ｂａ６Ａ（または分割鉄芯体Ｂｂ６Ｂ）に設けた取付部１９に巻線を装着または直巻巻装した分割鉄芯体Ａ４を４個同時に、または１個ずつ順番に４個を装着したあと、分割鉄芯体Ｂｂ６Ｂ（または分割鉄芯体Ｂａ６Ａ）を装着して固定子鉄芯を組み立てる。これにより、分割鉄芯体Ｂ６に分割鉄芯体４を装着するには、特別な自動組立装置を必要とすることなく、手作業で組み立てることが可能であることの他、自動組立装置による全自動化もできる。
【００４４】
また、圧入嵌合だけで分割鉄芯体Ａ４と分割鉄芯体Ｂ６の合体、組立ができる。また、椀状部材Ｈａ２０Ａ、Ｈｂ２０Ｂの平均肉厚が前記分割鉄芯体Ｂａ６Ａ、Ｂｂ６Ｂと比較して薄く形成するとともに各々が軸受保持部２１Ａ、２１Ｂと一体に設けることで、磁性粉末の磁心材料の低減による合理化と軽量化が可能であり、軸受２５を保持するために他部品を装着する必要が無いことで部品点数の削減ができるため構造の簡略化が可能となり、固着部材２２装着用の固着用突起２３に対してネジ、またはカシメピンなどの固着部材２２を装着することにより、椀状部材Ｈａ２０Ａと椀状部材Ｈｂ２０Ｂとを強固にまた容易に一体化することができる。
【００４５】
なお、本実施の形態では、分割鉄芯体Ｂ６を回転子軸と垂直方向に２分割し、それぞれ椀状部材Ｈａ２０Ａ、Ｈｂ２０Ｂと一体化したが、分割鉄芯Ｂ６は分割せずに一方の椀状部材Ｈａ２０Ａ（またはＨｂ２０Ｂ）とだけ一体化しても良い。この場合には、分割鉄芯体Ｂ６と一体となった椀状部材Ｈａ２０Ａ（またはＨｂ２０Ｂ）と相対する椀状部材Ｈｂ２０Ｂ（またはＨａ２０Ａ）に分割鉄芯体Ｂ６を押さえつけるための突起等を設け、分割鉄芯体Ｂ６を固定することが可能である。
【００４６】
また、なお、本実施の形態において、各相巻線と固定子鉄芯２との絶縁は絶縁ボビンと絶縁フィルムとの併用としたが、絶縁フィルム１７のみまたは粉体による絶縁構造を採用することも可能である。また、磁性粉末からなる圧粉磁心は、絶縁被膜を有する鉄粉の集合体であるため、鉄板のモータハウジングに比較し、固有抵抗が高レベルであり安全性も向上することになる。
【００４７】
また、以上の実施の形態１では、４スロットの固定子鉄芯としたが本発明の効果はスロット数に限定されることは無く、コンデンサ電動機のほか、集中巻で巻線を巻装するその他の電動機に対しても有効となる。また、椀状部材Ｈａ、Ｈｂの外周部に設けた固着部材装着用の固着用突起は２箇所としたが、その個数を限定するものではない（例えば、図１２は４箇所設けた例）。
【００４８】
（実施の形態２）
図１３において、実施の形態１と異なるところは、磁性粉末を所定の形状に成型した圧粉磁心で形成した椀状部材Ｈａ２０Ａ、Ｈｂ２０Ｂを構成する分割鉄芯体Ｂａ６ａ、Ｂｂ６ｂに連続する部分で、各々椀状の電動機ハウジングをなす部分のうち、外周部のリング状部Ｃａ２６Ａ、Ｃｂ２６Ｂの平均肉厚を前記分割鉄芯体Ｂａ６ａ、Ｂｂ６ｂの径方向の平均肉厚と同等に形成した構成とした点である。また、図１から図１１と同じ構成要素については同じ符号を用いその説明を省略する。
【００４９】
上記構成において、リング状部Ｃａ２６Ａ、Ｃｂ２６Ｂの平均肉厚を前記分割鉄芯体Ｂａ６ａ、Ｂｂ６ｂの径方向の平均肉厚と同等に形成したことで、分割鉄芯体Ａ４の外周部で磁路となる分割鉄芯体Ｂａ６ａ、Ｂｂ６ｂの断面積を増加したことになり、磁路断面積を増加し総磁束数を増加するかまたは磁束密度を低減でき、電動機効率が向上するものである。
【００５０】
なお、実施の形態１、実施の形態２のいずれにおいても固定子鉄芯の寸法設定（設計仕様）によっては、電動機のハウジングを構成する椀状部材椀状部材Ｈａ、Ｈｂのあらゆる部分が磁路として活用できる構造を提供できるものである。
【産業上の利用可能性】
【００５１】
本発明にかかるコンデンサ電動機は、電動機効率の向上、組立精度向上と容易化、及び合理化が可能であり、扇風機、換気扇など小型家電製品のファン送風用に使われる電動機などに適用できる。
【図面の簡単な説明】
【００５２】
【図１】本発明の実施の形態１のコンデンサ電動機を示す断面図
【図２】同コンデンサ電動機の椀状部材Ｈａと回転子を除外した状態を示す断面図
【図３】同コンデンサ電動機の椀状部材Ｈａと回転子を除外した状態を示す上面図
【図４】同コンデンサ電動機を示す半断面図
【図５】同コンデンサ電動機の椀状部材Ｈａと回転子を除外した状態を示す半断面図
【図６】同コンデンサ電動機の椀状部材Ｈｂと分割鉄芯体Ａとを組み合わせた状態の上面図
【図７】同コンデンサ電動機の固着用突起を削除した椀状部材Ｈｂと分割鉄芯体Ａとを組み合わせた状態の斜視図
【図８】同コンデンサ電動機の椀状部材Ｈｂを示す上面図
【図９】同コンデンサ電動機の分割鉄芯体Ａを示す斜視図
【図１０】同コンデンサ電動機の椀状部材Ｈａを示す断面図
【図１１】同コンデンサ電動機の椀状部材Ｈｂを示す断面図
【図１２】同コンデンサ電動機の４個の固着用突起を有する椀状部材Ｈｂと巻線を装着した分割鉄芯体Ａを組合わせた状態を示す上面図
【図１３】本発明の実施の形態２の分割鉄芯体Ｂの径方向厚みと同等の厚みを有するリング状部Ｃａ、Ｃｂを有するコンデンサ電動機の断面図
【図１４】従来のコンデンサ電動機の固定子を示す上面図
【図１５】同別ののコンデンサ電動機の固定子を示す上面図
【符号の説明】
【００５３】
１      スロット
２      固定子鉄芯
３      歯部
４      分割鉄芯体Ａ
５      継鉄部
６      分割鉄芯体Ｂ
６Ａ    分割鉄芯体Ｂａ
６Ｂ    分割鉄芯体Ｂｂ
７      絶縁ボビン
８      Ａ相巻線
９      Ｂ相巻線
１０    突起
１１    凹部Ａ
１２    凸部Ａ
１４    凸部Ｂ
１５    凹部Ｂ
１６    固定子
１７    スロット絶縁フィルム
１８    回転子孔
１９    取付部
２０Ａ  椀状部材Ｈａ
２０Ｂ  椀状部材Ｈｂ
２１Ａ、２１Ｂ  軸受保持部
２２    固着部材
２３Ａ、２３Ｂ  固着用突起
２４    回転子
２５    軸受
２６Ａ  リング状部Ｃａ
２６Ｂ  リング状部Ｃｂ
２７Ａ  蓋部Ｄａ
２７Ｂ  蓋部Ｄｂ
【図１】
2007202327.tif 000003
【図２】
2007202327.tif 000004
【図３】
2007202327.tif 000005
【図４】
2007202327.tif 000006
【図５】
2007202327.tif 000007
【図６】
2007202327.tif 000008
【図７】
2007202327.tif 000009
【図８】
2007202327.tif 000010
【図９】
2007202327.tif 000011
【図１０】
2007202327.tif 000012
【図１１】
2007202327.tif 000013
【図１２】
2007202327.tif 000014
【図１３】
2007202327.tif 000015
【図１４】
2007202327.tif 000016
【図１５】
2007202327.tif 000017